(57)【要約】【課題】潮流上に画期的発電システムを開発、低コスト高出力の発電実現。【解決手段】巨大な潮流圧と伴う波を応用する為、これを適宜遮るドラム長２０ｍ×径８ｍを浮かべる。関る両側の回転軸が有す軸受けは、鎖流しに海底の錨に係留してある。この回転ドラムは直接タービン足るべく、回転翼を全周上に配列設けられ係る機能で、発電するシステム体系。関る内側を７等分した隔壁中心の軸受に差渡る発電駆動軸を、その各発電室内周に設けられたリニアギヤ及び大中小ギヤで駆動、直結する発電装置内ランナを回転発電する。【選択図】図１
2011163333.tif 000002
【特許請求の範囲】
【請求項１】
標準設計でドラム長２０ｍ円直径７ｍ〜の両側に有する回転軸を、その軸受と鎖で海底の錨に係留する潮流面浮遊型の回転ドラムにおいて、関る全体をタービンとならしめる回転翼等の作用とで、係る潮流を適宜遮りながらこれを回転ドラムの下側に呼び流す事で、ドラム体が持つ浮力を安定させると共にタイダルパワーを無駄なく応用するべく発電システム。
【請求項２】
上記回転軸は便宜上ドラム長を貫通していない外部軸とし、係る内側軸はその両側からの延長線上に有り、各隔壁で７等分された発電室内をも隔壁中心の軸受で二部屋当り連結で通されている。この発電駆動軸は各室ジェネレータ内を通りそのランナに締結貫通している。関る軸は回転ドラム内周に設けられたリニアギヤにより、大中小ギヤを経て駆動発電する。
【発明の詳細な説明】
【発明の詳細な説明】
【技術分野】
【０００１】    本発明は、潮流の応用並びに伴う波利用発電に関するものである。
【背景技術】
【０００２】  国内例では潮ないしやその多くが係る派生波の上下運動を、或いはそれらの水平運動をそれぞれに捉え、直間接的に発電タービン等係る軸を回転または振動させる方法を主としてきたが、コストの割には発電出力が上がらなかった。他に上げ潮で三角波が立つ地形奥に更に遡上波を呼び上げ、これを直間接的に利用する方法もあったが、出力よりコストの方が上がり勝ちで何れも実験段階を脱却できないでいる。
諸外国では、概ねタイダルに直接スクリューなりタービンを当てる方式で、０８年本格稼動した世界最大級とされるプラントも例外方式ではなく、リアス式海岸の中程奥に大層な橋が架かった様子からして、コストに比例した発電出力が得られるべく潮流を捉えているとは云えない。
【発明が解決しようとする課題】
【０００３】  従来の欠点を全て抜本的に解決する為に、潮流と伴う波をそのまま応用するべく方式と共に、これらを低コストで実現する構造とのシステム体系の構築を目指す。また本発明は万一有事の際、いずれかの原発がミサイル攻撃を受け爆発炎上した場合、同時に全ての原発が運転停止になる事態を想定したものでもある。即ち、関る都市機能麻痺が予測されるその洋上に設置する事も可能だし、そちらへ曳航可能なシステム体系とする。
【課題を解決するための手段】
【０００４】低コストで大出力発電を目指すためには、その何れをも従来方法では解決できないのでそれらの改善策は棄て、更には有事の事態を想い図れば海岸線から離れざるを得ないので、我国周囲に恵まれた純粋潮流発電を追及した。
これらの具現化を果す為にはその頼みとすべく潮流を然るべく制御しながら、しかも海中等の構築物を頼らず関る巨大潮力の波をも含め応用し、これを直接電力変換し出力させる必要がある。係る三条件を同時的体系内で満たすべく浮遊型回転ドラム方式の研究が以下の如く発され続け明かされた。
【実施例】
【０００５】  図１は本発明の側面を示した概況図であり、潮流面浮遊型の回転ドラム１は回転軸Ａを有し直接タービン足り得るべき回転翼２を全周囲に設けてあり、その各回転翼の中間には補助回転翼３が併設されている。それら同士の円周上間隔は標準設計で３６°１０枚である。そして回転軸Ａは、軸受４ないし鎖５を通じ錨６に係留固定されている。【０００６】  回転ドラムの標準設計高は円直径７ｍ以上とし、その喫水高７は１／２〜２／３半径である。関る設計により４〜５ｍの高波８は浮力でその半分を相殺消去し、残差高が容易に回転軸高を越えないものとする。【０００７】  図２は回転ドラムが潮流に正対する正面図左端であり、その左右２０ｍ上に配列された回転翼（実線）２及び補助回転翼（破線）３の位置関係を示している（各回転翼には重なりがあるので便宜上左右に少しずらしている）。【０００８】  回転翼は巾１／５ドラム直径×２〜３ｍ長を目安とし、補助回転翼は対１／２巾で長さは同じとする。これら相互の関係と回転ドラム高との相対関係は、波頭が強風順風では潮流より速めで逆風では遅れ気味なのを安定調整するためと、伴う波頭等が回転ドラム体に横波を当てるのを防ぐ目的とがある。
かつ更なる補助翼の働きはこれら波流体を整流し、潮流共々を係る回転体の下側に吸い込むが如き巻き込む（矢印破線）。即ち回転速度を滑らかにする上、関る潮流体相互との吸着離れと水切れをよくする（図１の＊部）。この作用は浮力のみならず回転ドラム体重量を安定させ軽減し、システム全体の安定にも役立つ。【０００９】  軸受４は、その正面や平面上からも少し八の字形に左右両側に流し張りされた鎖５で海底の錨６に係留されているが、回転翼２の外側でそれら鎖に取付けた潮流正対翼９は、単に意味する機能以外に次の作用がある。
システム体系を守り更なる完成のために、想わぬ横波を緩和し関る全体を整流せしめる。かつ、必要以上の鎖重量を軽減させ、無理なく回転ドラム全体を係留固定させる（尖頭上反りで約４ｍ×１．５ｍ）。【００１０】  図３は、上述回転ドラム長がその隔壁により７等分された部位の側面図である。尚この内側で言う発電駆動軸Ｂと外側のドラム回転軸Ａとは便宜上一直線上に表記されているが、異目的別物扱いでありＡ回転数１に対しＢはモジュール比３．８×１．５×１．４×１．３≒１０回転である。【００１１】  次に主として潮流等をその回転翼２に受けた回転ドラム１は、その内周にスプリング１０を介して設けられたリニアギヤ１１により、順次に各大中小のギヤを回転駆動してゆき、発電駆動軸Ｂを駆動させる。この軸はジェネレータ１２内で係るランナを貫通締結させてありこれにより発電する。【００１２】  前項は開示順序に従い、ドラム回転力の基本応用につき記述しているが、実施方法には以下がある。
ａドラム回転軸を２０ｍ一本で貫き、必要に応じて設けた隔壁内で関る周囲に発電装置を分散設置する。
ｂ巨大負荷によるギヤ等破損を考慮し、点線で描かれた正三角形底辺の両角から、別途二組のギヤセットを発電駆動軸に組み付ける。またこれを二組以下で実施するには、発電装置やこれら下枠に予め取付けられた自重転がりキャスターで、ドラム回転床の係る円弧上にその全体を静止させる手段をとる。そして冷却ファンを設ける際には、より安定静止する方向に吸排気させる。更に必要に応じ弾み車を回転軸に取付ける。
ｃ両側の隔壁中心部に配した二重軸受けの傍らから吊り下げた棚上に、ギヤセット他一式を載せる。
ｄ回転ドラム本体とは別にジェネレータ用箱体を浮かべ、自在接手等を通じて双方の回転軸を直結する。
ｅ有事の際のリスク軽減に、予めジェネレータは海底に設置し、各その自在接手部をブイで吊り下げられた連結軸で、駆動する。
【発明の効果】
【００１３】  以上のシステム体系（体系的×方法×装置）を実施すれば、低コストで大出力の発電ができる。しかも各隔壁毎の発電方法を採れば、シャフト折れ等が起きても全発電機能停止などのリスクは防げ、メンテナンスはシステム稼動中でも行い得る。また有事の際でのリスク軽減にも有効なのは勿論、その曳航移動性を発揮させれば、火の粉も払えぬまま万歳の事態は回避できる。
【図面の簡単な説明】
【００１４】
【図１】は、本発明の概況を示した側面図である。
【図２】は、回転ドラム上に設けられた回転翼並びにその補助回転翼の配列を示した正面図である。
【図３】は、回転ドラム内側に設けられた隔壁部位の側面図である。
【符号の説明】Ａドラム回転軸      １回転ドラム      ５鎖            ９潮流正対翼
Ｂ発電駆動軸        ２回転翼          ６錨          １０スプリング
３補助回転翼      ７喫水高      １１リニアギヤ
４軸受            ８高波        １２ジェネレータ
【図１】
2011163333.tif 000003
【図２】
2011163333.tif 000004
【図３】
2011163333.tif 000005
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
標準設計でドラム長２０ｍ円直径７ｍ〜の両側に有する回転軸を、その軸受けと鎖等とで海底の岩床杭に係留する潮流面浮遊型の回転ドラムにおいて、関る全体をタービンとならしめる回転翼等の作用とで、係る潮流を適宜遮りながらこれを回転ドラムの下側に呼び流す事で、ドラム体が持つ浮力を安定させると共にタイダルパワーを無駄なく応用するべく発電システム。
【請求項２】
上記回転軸は便宜上ドラム長を貫通していない外部軸とし、係る内側軸はその両側からの延長線上に有り、各隔壁で７等分された発電室内をも隔壁中心の軸受で二部屋当り連結で通されている。この発電駆動軸は各室ジェネレータ内を通りそのランナに締結貫通している。関る軸は回転ドラム内周に設けられたリニアギヤにより、大中小ギヤを介して駆動発電する。
【手続補正２】
【補正対象書類名】明細書
【補正対象項目名】全文
【補正方法】変更
【補正の内容】
【発明の詳細な説明】
【発明の詳細な説明】
【技術分野】
【０００１】  本発明は、潮流の応用並びに伴う波利用発電に関するものである。
【背景技術】
【０００２】  国内例では潮ないしやその多くが係る派生波の上下運動を、或いはそれらの水平運動をそれぞれに捉え、直間接的に発電タービン等係る軸を回転または振動させる方法を主としてきたが、コストの割には発電出力が上がらなかった。他に上げ潮で三角波が立つ地形奥に更に遡上波を呼び上げ、これを直間接的に利用する方法もあったが、出力よりコストの方が上がり勝ちで何れも実験段階を脱却できないでいる。
諸外国では、概ねタイダルに直接スクリューなりタービンを当てる水中方式で、０８年本格稼動した世界最大級とされるプラントも例外方式ではなく、リアス式海岸の中程奥に大層な二階建て橋が架かった様子からして、コストに比例した発電出力が得られるべく潮流を捉えているとは云えない。
【発明が解決しようとする課題】
【０００３】  従来の欠点を全て抜本的に解決する為に、潮流と伴う波をそのまま応用するべく方式と共に、これらを低コストで実現する構造とのシステム体系の構築を目指す。また本発明は万一有事の際、いずれかの原発がミサイル攻撃を受け爆発炎上した場合、同時に全ての原発が運転停止になる事態を想定したものでもある。即ち、関る都市機能麻痺が予測されるその洋上に設置する事も可能だし、そちらへ曳航可能なシステム体系とする。
【課題を解決するための手段】
【０００４】低コストで大出力発電を目指すためには、その何れをも従来方法では解決できないのでそれらの改善策は棄て、更には有事の事態を想い図れば海岸線から離れざるを得ないので、我国周囲に恵まれた純粋潮流発電を追及した。
これらの具現化を果す為にはその頼みとすべく潮流を然るべく制御しながら、しかも海中等の構築物を頼らず関る巨大潮力の波をも含め応用し、これを直接電力変換し出力させる必要がある。係る三条件を同時的体系内で満たすべく浮遊型回転ドラム方式の研究が以下の如く発され続け明かされた。
【実施例】
【０００５】  図１は本発明の側面を示した概況図であり、潮流面浮遊型の回転ドラム１は回転軸Ａを有し直接タービン足り得るべき回転翼２を全周囲に設けてあり、その各回転翼の中間には補助回転翼３が併設されている。それら同士の円周上間隔は標準設計で３６°１０枚である。そして回転軸Ａは、軸受４ないし鎖等ロープ５を通じ海底の岩床杭６に係留固定されている。【０００６】  回転ドラムの標準設計高は円直径７ｍ以上とし、その喫水高７は１／２〜２／３半径である。関る設計により４〜５ｍの高波８は浮力でその半分を相殺消去し、残差高が容易に回転軸高を越えないものとする。【０００７】  図２は回転ドラムが潮流に正対する正面図左端であり、その左右２０ｍ上に配列された回転翼（実線）２及び補助回転翼（破線）３の位置関係を示している（各回転翼には重なりがあるので便宜上左右に少しずらしている）。【０００８】  回転翼は巾１／５ドラム直径×２〜３ｍ長を目安とし、補助回転翼は対１／２巾で長さは同じとする。これら相互の関係と回転ドラム高との相対関係は、波頭が強風順風では潮流より速めで逆風では遅れ気味なのを安定調整するためと、伴う波頭等が回転ドラム体に横波を当てるのを防ぐ目的とがある。
かつ更なる補助翼の働きはこれら波流体を整流し、潮流共々を係る回転体の下側に吸い込むが如き巻き込む（矢印破線）。即ち回転速度を滑らかにする上、関る潮流体相互との吸着離れと水切れをよくする（図１の＊部）。この作用は浮力のみならず回転ドラム体重量を安定させ軽減し、システム全体の安定にも役立つ。【０００９】  軸受４は、その正面や平面上からも八の字形に左右両側に流し張りされた鎖等ロープ５で海底の岩床杭６に係留されているが、回転翼２の外側でそれら鎖に取付けた潮流正対翼９は、単に意味する機能以外に次の作用がある。
システム体系を守り更なる完成のために、想わぬ横波を緩和し関る全体を整流せしめる。かつ、必要以上の鎖等ロープ重量を軽減させ、無理なく回転ドラム全体を係留固定させる（尖頭上反りで約４ｍ×１．５ｍ）。【００１０】  図３は、上述回転ドラム長がその隔壁により７等分された部位の側面図である。尚この内側で言う発電駆動軸Ｂと外側のドラム回転軸Ａとは便宜上一直線上に表記されているが、異目的別物扱いでありＡ回転数１に対しＢはモジュール比３．８×１．５×１．４×１．３≒１０回転である。【００１１】  次に主として潮流等をその回転翼２に受けた回転ドラム１は、その内周にスプリング１０を介して設けられたリニアギヤ１１により、順次に各大中小のギヤを回転駆動してゆき、発電駆動軸Ｂを駆動させる。この軸はジェネレータ１２内で係るランナを貫通締結させてありこれにより発電する。【００１２】  前項は開示順序に従い、ドラム回転力の基本応用につき記述しているが、実施方法には以下があり、係る出力は何れも回転軸を介して行う。
ａドラム回転軸を２０ｍ一本で貫き、必要に応じて設けた隔壁内で関る周囲に発電装置を分散設置する。
ｂ巨大負荷によるギヤ等破損を考慮し、点線で描かれた正三角形底辺の両角から、別途二組のギヤセットを発電駆動軸に組み付ける。またこれを二組以下で実施するには、発電装置やこれら下枠に予め取付けられた自重転がりキャスターで、ドラム回転床の係る円弧上にその全体を静止させる手段をとる。そして冷却ファンを設ける際には、より安定静止する方向に吸排気させる。更に必要に応じ弾み車を回転軸に取付ける。
ｃ両側の隔壁中心部に配した二重軸受けの傍らから吊り下げた棚上に、ギヤセット他一式を載せる。
ｄ回転ドラム本体とは別にジェネレータ用箱体を浮かべ、自在接手等を通じて双方の回転軸を直結する。
ｅ有事の際のリスク軽減に、予めジェネレータは海底に設置し、各その自在接手部をブイで吊り下げられた連結軸で、駆動する。
【発明の効果】
【００１３】  以上のシステム体系（体系的×方法×装置）を実施すれば、低コストで大出力の発電ができＣＯ２対策にもなる。しかも各隔壁毎の発電方法を採れば、シャフト折れ等が起きても全発電機能停止などのリスクは防げ、メンテナンスはシステム稼動中でも行い得る。また有事でのリスク軽減はもとより、その曳航移動性をもち、火の粉も払えぬまま万歳の事態は回避できる。
【図面の簡単な説明】
【００１４】
【図１】は、本発明の概況を示した側面図である。
【図２】は、回転ドラム上に設けられた回転翼並びにその補助回転翼の配列を示した正面図である。
【図３】は、回転ドラム内側に設けられた隔壁部位の側面図である。
【符号の説明】Ａドラム回転軸    １回転ドラム      ５鎖等ロープ    ９潮流正対翼
Ｂ発電駆動軸      ２回転翼          ６岩床杭      １０スプリング
３補助回転翼      ７喫水高      １１リニアギヤ
４軸受            ８高波        １２ジェネレータ
【手続補正３】
【補正対象書類名】図面
【補正対象項目名】全図
【補正方法】変更
【補正の内容】
【図１】
2011163333.tif 000006
【図２】
2011163333.tif 000007
【図３】
2011163333.tif 000008
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
想定高波４〜５ｍ位での標準設計において、ドラム長２０ｍ円直径７ｍ〜の両側に有する回転軸を、その軸受けと鎖とで海底の錨に係留する潮流面浮遊型の回転ドラム方式の上で、これを直接発電タービンとならしめる回転翼並びに補助回転翼の配列及び、それら作用を全き応用すべく係る潮流の縦軸に対し常にドラム体が横軸方向直角に流れを適宜遮りながら、これを回転ドラムの下側に呼び流す為と且つドラム体浮力を安定させる目的での潮流正対翼を有する事でタイダルパワーを無駄なく応用するべく発電駆動システム。更に格別なのは曳航可能なドラム体の堅固な内周壁を利し、上記統合モーメントを内臓直接伝達方式で係る反転、ロスなく発電駆動するシステム体系にある。
【請求項２】
請求項１の概念体系を満たすべくドラム体内側の回転軸は、便宜上即ち発電駆動軸仕様と見做されるも、その実施関係は外側回転軸からの延長少し内部で通じておらず、Ａドラム回転軸とＢ発電駆動軸とに分離される。この内側回転軸Ｂは逆回転であり、内部ドラム長をその各隔壁で７等分された発電室内では隔壁中心の軸受で二部屋当り連結で通されている。この発電駆動軸は係る各室ジェネレータ内をも貫通しその各ランナ軸とは共有し係る締結貫通されている。関する軸は回転ドラム内周壁に設けられたリニアギヤにより、大中小ギヤを介して駆動発電するのを特徴とする発電システム体系。
【手続補正２】
【補正対象書類名】明細書
【補正対象項目名】全文
【補正方法】変更
【補正の内容】
【発明の詳細な説明】
【発明の詳細な説明】
【技術分野】
【０００１】    本発明は、潮流の応用並びに伴う波利用発電に関するものである。
【背景技術】
【０００２】    国内例では潮ないしやその多くが係る派生波の上下運動を、或いはそれらの水平運動をそれぞれに捉え、直間接的に発電タービン等係る軸を回転または振動させる方法を主としてきたが、コストの割には発電出力が上がらなかった。他に上げ潮で三角波が立つ地形奥に更に遡上波を呼び上げ、これを直間接的に利用する方法もあったが、出力よりコストの方が上がり勝ちで何れも実験段階を脱却できないでいる。
諸外国では、概ねタイダルに直接スクリューなりタービンを当てる方式で、０８年本格稼動した世界最大級とされるプラントも例外方式ではなく、リアス式海岸の中程奥に大層な橋が架かった様子からして、コストに比例した発電出力が得られるべく潮流を捉えているとは云えない。
【発明が解決しようとする課題】
【０００３】  従来の欠点を全て抜本的に解決する為に、潮流と伴う波をそのまま応用するべく方式と共に、これらを低コストで実現する構造とのシステム体系の構築を目指す。また本発明は万一有事の際、いずれかの原発がミサイル攻撃を受け爆発炎上した場合、同時に全ての原発が運転停止になる事態を想定したものでもある。即ち、関る都市機能麻痺が予測されるその洋上に設置する事も可能だし、そちらへ曳航可能なシステム体系とする。
【課題を解決するための手段】
【０００４】  低コストで大出力発電を目指すためには、その何れをも従来方法では解決できないのでそれらの改善策は棄て、更には有事の事態を想い図れば海岸線から離れざるを得ないので、我国周囲に恵まれた純粋潮流（一方向と二方向）面での発電を追及した。
これらの具現化を果す為にはその頼みとすべく潮流を然るべく制御しながら、しかも海中等の構築物を頼らず関る巨大潮力の波をも含め応用し、これを直接電力変換し出力させる必要がある。係る三条件を同時的体系内で満たすべく浮遊型回転ドラム方式の研究が以下の如く発され続け明かされた。
【実施例】
【０００５】  図１は本発明の側面を示した概況図であり、潮流面浮遊型の回転ドラム１は回転軸Ａを有し直接タービン足り得るべき回転翼２を全周囲に設けてあり、その各回転翼の中間には補助回転翼３が併設されている。それら同士の円周上間隔は標準設計で３６°１０枚である。そして回転軸Ａは、軸受４ないし鎖等ロープ５を通じ海底の錨６に係留固定されている。
また所謂標準設計とは、低気圧等の影響で日常頻繁に起つ高波４〜５ｍを想定し対処した設計ガイド基準である。【０００６】  回転ドラムの標準設計高は円直径７ｍ以上とし、その喫水高７は１／２〜２／３半径である。関る設計により４〜５ｍの高波８は浮力でその半分を相殺消去し、残差高が容易に回転軸高を越えないものとする。【０００７】  図２は回転ドラムが潮流に正対する正面図左端であり、その左右２０ｍ上に配列された回転翼（実線）２及び補助回転翼（破線）３の位置関係を示している（各回転翼には重なりがあるので便宜上左右に少しずらして表示）。【０００８】  回転翼は巾１／５ドラム直径×２〜３ｍ長を目安とし、補助回転翼は対１／２巾で長さは同じとする。これら相互の関係と回転ドラム高との相対関係は、波頭が強風順風では潮流より速めで逆風では遅れ気味なのを安定調整するためと、伴う波頭等が回転ドラム体に横波を当てるのを防ぐ目的とがある。
かつ更なる補助翼の働きはこれら波流体を整流し、潮流共々を係る回転体の下側に吸い込むが如き巻き込む（矢印破線）。即ち回転速度を滑らかにする上、関る潮流体相互との吸着離れと水切れをよくする（図１の＊部）。この作用は浮力のみならず回転ドラム体重量を安定させ軽減し、システム全体の安定にも役立つ。
これら態様につき図面に従い具体的に分析詳述すると、先ず標準設計寸法の円筒形本回転ドラムは、潮流面やこの流体に乗った状態の波移動とを縦軸方向に、これに対する横軸方向に潮流面等を遮る形でその回転軸両端の軸受けと鎖とで海底の錨に係留されているものとする。そして、このドラム体は前述に基ずく喫水高と関する円周壁ならびにその喫水底円形にかかる自重と以下の相対的浮力作用により適宜潮流や係る波移動を遮りながら、これを回転翼ないし補助回転翼でドラム体の下側に吸い込むが如き巻き込む事ができる（主体表記）。即ち、ドラム長に亘る複数の縦波の時間差を調整すると同時に、客体的態様では波高等は回転ドラム体自重により潮流面そのものの流体に平均化されつつ圧し延べられ移動してゆき、係る前後の波山に亘る波谷部（喫水底潜行通過時）では、波動慣性に因る反発浮力並びに平均海水面張力で浮力等々をドラム体に作用する。実にこれら構成体系に対する一連の作用が生じる事で、回転ドラムの歪みや回転軸の振動負荷を防止できるのは元より、潮流波とその流体パワーを無駄なく捉え、電力化へと応用変換できる。
なお平均海水面張力とは、概ね１／２波山高に当たる水位（ほぼ潮流面に同じ）に対して働く表面張力であり、図面では便宜上これら水位と回転ドラム体の喫水高を一致して表示してある。因みに今、波山スパンを二倍に仮定し各々その波山高も二倍の８〜１０ｍとした態様では、関する前後の波山高は本願回転ドラム高と同高以上に達するが、その平均海水面張力は回転ドラム軸高と水平位置に該当する。そして係る水位差により、ドラム体喫水底円周形状とその各回転翼は関する二倍以上の表面張力に伴う浮力を生じ、並びに波移動に係る流体圧等とで回転力を倍加したスピードを持ち（海洋研究所参考、風速≒５０ｍ≒風速１０ｍ／ｓ≒波移動潮流面２〜３ｍ／ｓ≒同波形移動方向５〜８ｍ／ｓ≒潮流面１〜２ｍ／ｓ）、喫水面と平均海水面差を駆け上る。又は同じ時間軸で、いわゆる潮流のうねりに伴う波流体を回転ドラム体の底に圧し流す。この圧流を前波に入れ替えるべく通過させるドラム体の態様は、波高を隆起するスロープを自重で転げ落ちるが如く、（見え）時には羽ばたく様にその回転翼を波間に光り、続く波等に対する。
即ち、日常的頻繁に波立つ４〜５ｍの高波を想定した標準設計でも、中位の台風下での稼動には耐え得るが、これ以上の高波を被らない注意と効率その他強度対策には１・５倍サイズ以上が望ましい。これを加味した統合作用及び波移動と潮流面とが一体化する条件での、潮流体スピードとドラム体の喫水下円周底に付帯する回転翼スピードが収斂する限りにおいて、鎖ら係留手段への負荷は２〜３ｍ波までは僅かで中形までは大した流失圧ではなく、大型錨の鉤爪を海底に突き立てる程度で収まる。また稀に襲来する大型台風対策としては、海底条件にもよるが鉤爪数を増した錨のそれを突き立て、これを海底に少し引きずらせ風波を遣り過ごすのが、システム体系に安全である。そして厄介なのが風波が横に転じる場合だが何れにせよ係る風波の圧力は、角度と言い潮流圧に比較すれば小さなエネルギーに過ぎず、次項の潮流正対翼の作用に依り、回転ドラムのその正対向きを変えるものではない。【０００９】  軸受４は、その正面や平面上からも八の字形に左右両側に流し張りされた鎖等ロープ５で海底の錨６に係留されているが、回転翼２の外側でそれら鎖に取付けた潮流正対翼９は、単に意味する機能以外に次の作用がある。
システム体系を守り更なる完成のために、想わぬ横波を緩和し関る全体を整流せしめる。かつ、必要以上の鎖等ロープ重量を軽減させ、無理なく回転ドラム全体を係留固定させる（尖頭上反りで約４ｍ×１．５ｍ。また潮流面＝往復域では尖頭上反りは両端）。【００１０】  図３は、上述回転ドラム長がその隔壁により７等分された部位の側面図である。尚この内側で言う発電駆動軸Ｂと外側のドラム回転軸Ａとは便宜上一直線上に表記されているが、前述の通り逆回転別物扱いでありＡ回転数１に対しＢはモジュール比３．８×１．５×１．４×１．３≒１０回転である。【００１１】  次に主として潮流等をその回転翼２に受けた回転ドラム１は、その内周にスプリング１０を介して設けられたリニアギヤ１１により、順次に各大中小のギヤを回転駆動してゆき、発電駆動軸Ｂを駆動させる。この軸はジェネレータ１２内で係るランナを貫通締結させてありこれにより発電する。【００１２】  前項は開示順序に従い、ドラム回転力の基本応用につき記載しているが、実施方法には以下があり、係る出力は何れも回転軸を介して行う。
ａドラム回転軸を２０ｍ一本で貫き、必要に応じて設けた隔壁内で関る周囲に発電装置を分散設置する。
ｂ巨大負荷によるギヤ等破損を考慮し、点線で描かれた正三角形底辺の両角から、別途二組のギヤセットを発電駆動軸に組み付ける。またこれを二組以下で実施するには、発電装置やこれら下枠に予め取付けられた自重転がりキャスターで、ドラム回転床の係る円弧上にその全体を静止させる手段をとる。そして冷却ファンを設ける際には、より安定静止する方向に吸排気させる。更に必要に応じ弾み車を回転軸に取付ける。
ｃ両側の隔壁中心部に配した二重軸受けの傍らから吊り下げた棚上に、ギヤセット他一式を載せる。
ｄ回転ドラム本体とは別にジェネレータ用箱体を浮かべ、自在接手等を通じて双方の回転軸を直結する。
ｅ有事の際のリスク軽減に、予めジェネレータは海底に設置し、各その自在接手部をブイで吊り下げられた連結軸で、駆動する。
【発明の効果】
【００１３】  以上のシステム体系（体系的×方法×装置）を実施すれば、低コストで大出力の発電ができＣＯ２対策にもなる。しかも各隔壁毎の発電方法を採れば、シャフト折れ等が起きても全発電機能停止などのリスクは防げ、メンテナンスはシステム稼動中でも行い得る。また有事でのリスク軽減はもとより、その曳航移動性をもち、火の粉も払えぬまま万歳の事態は回避できる。
【図面の簡単な説明】
【００１４】
【図１】は、本発明の概況を示した側面図である。
【図２】は、回転ドラム上に設けられた回転翼並びにその補助回転翼の配列を示した正面図である。
【図３】は、回転ドラム内側に設けられた隔壁部位の側面図である。
【符号の説明】Ａドラム回転軸      １回転ドラム      ５鎖等ロープ      ９潮流正対翼
Ｂ発電駆動軸        ２回転翼          ６錨            １０スプリング
３補助回転翼        ７喫水高        １１リニアギヤ
４軸受              ８高波          １２ジェネレータ
【手続補正３】
【補正対象書類名】図面
【補正対象項目名】全図
【補正方法】変更
【補正の内容】
【図１】
2011163333.tif 000009
【図２】
2011163333.tif 000010
【図３】
2011163333.tif 000011